(57)【要約】【課題】映像信号の映像範囲を簡単かつ適切に設定することができる映像信号出力機器を提供する。【解決手段】映像信号を表示機器に出力する映像信号出力機器は、撮影部４１を有する携帯情報端末４０と通信する通信部１６と、映像範囲調整用の映像信号を生成して出力する信号出力部１２と、表示機器２０が表示している映像範囲調整用の映像信号に基づく映像を撮影部４１が撮影したときに携帯情報端末４０から送信され通信部１６によって受信される映像範囲情報に基づいて、映像信号の映像範囲を設定する制御部１５と、を備える。【選択図】図１
2015023500.tif 000002
【特許請求の範囲】
【請求項１】
映像信号を表示機器に出力する映像信号出力機器であって、
撮影部を有する携帯情報端末と通信する通信部と、
映像範囲調整用の映像信号を生成して出力する信号出力部と、
前記表示機器が表示している前記映像範囲調整用の映像信号に基づく映像を前記撮影部が撮影したときに前記携帯情報端末から送信され前記通信部によって受信される映像範囲情報に基づいて、前記映像信号の映像範囲を設定する設定部と、
を備える映像信号出力機器。
【請求項２】
前記映像範囲情報を送信するためのアプリケーションソフトウェアを起動したことを通知する通知信号が前記携帯情報端末から送信され前記通信部によって受信されると、
前記信号出力部が前記映像範囲調整用の映像信号の生成を開始する請求項１に記載の映像信号出力機器。
【請求項３】
前記設定部が、１回分の前記映像範囲情報に基づいて、前記映像信号の映像範囲の設定を完了する請求項１又は請求項２に記載の映像信号出力機器。
【請求項４】
前記携帯情報端末から送信され前記通信部によって受信される前記携帯情報端末の設定情報を、前記映像信号出力機器の設定情報に反映させる設定情報反映部を備える請求項１〜請求項３のいずれか１項に映像信号出力機器。
【請求項５】
前記映像信号を複数の前記表示機器に出力可能な映像信号出力機器であって、
前記設定部が、前記映像信号の映像範囲を前記表示機器毎に設定する請求項１〜請求項４のいずれか１項に映像信号出力機器。
【請求項６】
映像信号出力機器が映像範囲調整用の映像信号を表示機器に出力する出力ステップと、
前記表示機器が前記映像範囲調整用の映像信号に基づく映像を表示する表示ステップと、
前記映像範囲調整用の映像信号に基づく映像を携帯情報端末の撮影部が撮影する撮影ステップと、
前記撮影ステップで得られた撮影画像を解析する解析ステップと、
前記解析ステップで得られた解析結果に基づいて、映像信号出力機器が出力する映像信号の映像範囲を設定する設定ステップと、
を備える設定方法。
【発明の詳細な説明】
【技術分野】
【０００１】
本発明は、映像信号を外部の表示機器に出力する映像信号出力機器及び映像信号出力機器の設定方法に関する。
【背景技術】
【０００２】
テレビジョン受像機や表示モニタの中には、外部入力された映像信号を、映像として画面に表示する際に、その映像信号の全てを映像として画面にスケーリングして表示せずに、映像信号の内側だけを映像として画面にスケーリングして表示する製品がある。
【０００３】
このため、光ディスク装置やＩＰ−ＳＴＢ等の映像信号出力機器が、表示機器側で映像信号の全てが映像として画面に表示されることを前提に、映像をスケーリングして映像信号を出力すると、映像信号出力機器側が意図していない映像が表示されるおそれがある。
【０００４】
この現象を、図９に示すように、映像信号出力機器１が表示機器２と映像信号伝送線３によって接続されている場合を例に挙げて具体的に説明する。ここで、映像信号出力機器１は、意図する映像４を１００％スケーリングした映像信号を出力し、表示機器３は、映像信号の内側９５％だけを映像として画面にスケーリングして表示する仕様である。この場合、表示機器３が映像を表示する際に、映像信号の外側５％が削られた映像が表示されることになるので、表示機器２の表示画面に表示される映像５は図９に示すように映像信号出力機器が意図する映像４とは異なってしまう。
【先行技術文献】
【特許文献】
【０００５】
【特許文献１】特開平８−４７００４号公報
【特許文献２】特開平８―２８００４６号公報
【発明の概要】
【発明が解決しようとする課題】
【０００６】
そこで、通常、映像信号出力機器には、外部に出力する映像信号の映像範囲を調整することができる機能が搭載されている。しかしながら、当該調整は、映像信号出力機器の専用設定メニューを用いて、表示機器の表示画面に表示される映像を見ながら、ユーザが手動で行う必要があるため、不便であった。また、表示機器の表示画面に表示される映像の内容によっては、映像信号の外側が削られた映像であるか否かの判別がユーザにとって困難である場合があった。
【０００７】
特許文献１及び特許文献２で提案されている技術は、テレビジョン受像機の表示画面に表示される映像を撮影し、その撮影結果に基づいてテレビジョン受像機の映像出力方法を調整しており、撮影対象機器と調整対象機器とが一致している。このため、映像信号を出力する映像信号出力機器と、映像信号出力機器から出力される映像信号を外部入力する表示機器とを備える映像表示システムに特許文献１及び特許文献２で提案されている技術を適用しても、映像信号出力機器側の調整を行うことはできない。
【０００８】
本発明は、上記の状況に鑑み、映像信号の映像範囲を簡単かつ適切に設定することができる映像信号出力機器及び設定方法を提供することを目的とする。
【課題を解決するための手段】
【０００９】
上記目的を達成するために本発明に係る映像信号出力機器は、映像信号を表示機器に出力する映像信号出力機器であって、撮影部を有する携帯情報端末と通信する通信部と、映像範囲調整用の映像信号を生成して出力する信号出力部と、表示機器が表示している前記映像範囲調整用の映像信号に基づく映像を前記撮影部が撮影したときに前記携帯情報端末から送信され前記通信部によって受信される映像範囲情報に基づいて、前記映像信号の映像範囲を設定する設定部と、を備える構成（第１の構成）とする。
【００１０】
このような構成によると、映像信号出力機器が表示機器に映像範囲調整用の映像信号を出力することができる。そして、表示機器が表示している映像範囲調整用の映像信号に基づく映像を携帯情報端末の撮影部が撮影し、携帯情報端末が映像範囲情報を映像信号出力機器に出力すると、映像信号出力機器の設定部が、映像範囲情報に基づいて映像信号の映像範囲を設定する。これにより、映像信号の映像範囲の調整をユーザが手動で行う必要がなくなり、かつ、映像範囲調整用の映像信号に基づく映像すなわち映像範囲調整に適した映像に基づいて映像信号の映像範囲の調整が行われるので、映像信号の映像範囲を簡単かつ適切に設定することができる。
【００１１】
上記第１の構成の映像信号出力機器において、前記映像範囲情報を送信するためのアプリケーションソフトウェアを起動したことを通知する通知信号が前記携帯情報端末から送信され前記通信部によって受信されると、前記信号出力部が前記映像範囲調整用の映像信号の生成を開始する構成（第２の構成）であることが好ましい。
【００１２】
このような構成によると、携帯情報端末において、映像範囲情報を送信するためのアプリケーションソフトウェアを起動すると、自動的に映像信号出力機器が前記映像範囲調整用の映像信号を出力するので、利便性が向上する。
【００１３】
また、上記第１又は第２の構成の映像信号出力機器において、前記設定部が、１回分の前記映像範囲情報に基づいて、前記映像信号の映像範囲の設定を完了する構成（第３の構成）であることが好ましい。
【００１４】
このような構成によると、映像信号の映像範囲の設定に要する時間を短縮することができ、利便性が向上する。
【００１５】
また、上記第１〜３のいずれかの構成の映像信号出力機器において、前記携帯情報端末から送信され前記通信部によって受信される前記携帯情報端末の設定情報を、前記映像信号出力機器の設定情報に反映させる設定情報反映部を備える構成（第４の構成）であることが好ましい。
【００１６】
このような構成によると、携帯情報端末の設定情報と重複する映像信号出力機器の設定情報をユーザが重複してカスタマイズする必要がなくなるので、利便性が向上する。
【００１７】
また、上記第１〜４のいずれかの構成の映像信号出力機器において、前記映像信号を複数の前記表示機器に出力可能であり、前記設定部が、前記映像信号の映像範囲を前記表示機器毎に設定する構成（第５の構成）であってもよい。
【００１８】
このような構成によると、複数の表示機器それぞれに、映像信号出力機器が意図する映像を表示させることができる。
【００１９】
上記目的を達成するために本発明に係る設定方法は、映像信号出力機器が映像範囲調整用の映像信号を表示機器に出力する出力ステップと、前記表示機器が前記映像範囲調整用の映像信号に基づく映像を表示する表示ステップと、前記映像範囲調整用の映像信号に基づく映像を携帯情報端末の撮影部が撮影する撮影ステップと、前記撮影ステップで得られた撮影画像を解析する解析ステップと、前記解析ステップで得られた解析結果に基づいて、映像信号出力機器が出力する映像信号の映像範囲を設定する設定ステップと、を備える構成とする。
【００２０】
このような構成によると、映像信号出力機器が表示機器に映像範囲調整用の映像信号を出力することができる。そして、表示機器が表示している映像範囲調整用の映像信号に基づく映像を携帯情報端末の撮影部が撮影する。その撮影によって得られた撮影画像が解析され、映像信号出力機器が、解析結果に基づいて映像信号の映像範囲を設定する。これにより、映像信号の映像範囲の調整をユーザが手動で行う必要がなくなり、かつ、映像範囲調整用の映像信号に基づく映像すなわち映像範囲調整に適した映像に基づいて映像信号の映像範囲の調整が行われるので、映像信号の映像範囲を簡単かつ適切に設定することができる。
【発明の効果】
【００２１】
本発明によると、映像信号の映像範囲を簡単かつ適切に設定することができる。
【図面の簡単な説明】
【００２２】
【図１】本発明の第１実施形態に係る映像信号出力機器の概略構成を示す図である。
【図２】映像範囲が最大に設定されている映像範囲調整用の映像信号の内容を模式的に示す図である。
【図３】表示機器の表示画面を示す図である。
【図４】映像範囲調整用の映像信号の内容を模式的に示す図である。
【図５】表示機器の表示画面を示す図である。
【図６】映像範囲調整用の映像信号の内容を模式的に示す図である。
【図７】表示機器の表示画面を示す図である。
【図８】本発明の第１実施形態に係る映像信号出力機器の概略構成を示す図である。
【図９】従来の映像信号出力機器を示す図である。
【発明を実施するための形態】
【００２３】
本発明の実施形態について図面を参照して以下に説明する。後述する実施形態はあくまで例示であり、本発明は後述する実施形態に限定されるものではない。各実施形態は矛盾のない限り、適宜組み合わせて実施することができ、また、各実施形態で説明する例示や変形例は矛盾のない限り、他の実施形態にも適用することができる。
【００２４】
＜第１実施形態＞
本発明の第１実施形態に係る映像信号出力機器の概略構成を図１に示す。まず、本発明の第１実施形態に係る映像信号出力機器であるＩＰ−ＳＴＢ１０の概略構成について説明する。ＩＰ−ＳＴＢ１０は、コンテンツ受信部１１と、映像信号出力部１２と、ＨＤＭＩインターフェース部１３と、リモコン信号受信部１４と、制御部１５と、通信部１６とを備えている。
【００２５】
コンテンツ受信部１１は、ブロードバンド回線を通じて提供されるコンテンツを、制御部１５の指示に応じて選択して受信する。
【００２６】
映像信号出力部１２は、コンテンツ受信部１１によって受信されたコンテンツに基づいて、映像信号を生成してＨＤＭＩ（登録商標）インターフェース部１３及びＨＤＭＩケーブル３０を介して外部の表示機器２０に出力する。映像信号出力部１２は、ＯＳＤ機能も有しており、制御部１５から映像範囲調整用の映像信号の生成を命じる指示があった場合、ＯＳＤ機能を用いて映像範囲調整用の映像信号を生成する。生成された映像範囲調整用の映像信号は、他の映像信号と同様に、ＨＤＭＩインターフェース部１３及びＨＤＭＩケーブル３０を介して外部の表示機器２０に出力される。
【００２７】
ＩＰ−ＳＴＢ１０は、不図示の音声信号出力部も備えている。音声信号出力部は、コンテンツ受信部１１によって受信されたコンテンツに基づいて、音声信号を生成してＨＤＭＩインターフェース部１３及びＨＤＭＩケーブル３０を介して外部の表示機器２０に出力する。
【００２８】
なお、本実施形態とは異なり、ＩＰ−ＳＴＢ１０と表示機器２０とが無線接続されていても構わない。また、ＩＰ−ＳＴＢ１０と表示機器２０とが中継器を介して接続されていてもよい。この場合、ＩＰ−ＳＴＢ１０から表示機器２０に至る迄の接続経路の全てが有線接続経路であってもよい。また、ＩＰ−ＳＴＢ１０から表示機器２０に至る迄の接続経路の全てが無線接続経路であってもよい。また、ＩＰ−ＳＴＢ１０から表示機器２０に至る迄の接続経路の一部が有線接続経路で残りが無線接続経路であってもよい。
【００２９】
リモコン信号受信部１４は、不図示のＩＰ−ＳＴＢ用リモコン送信機から送信されるリモコン信号を受信し、リモコン信号に含まれる遠隔制御コマンドを制御部１５に出力する。
【００３０】
制御部１５は、ＩＰ−ＳＴＢ１０全体を制御する制御部であり、Ａｎｄｒｏｉｄ（登録商標）と呼ばれるオペレーティングシステムを内部メモリに格納しており、当該オペレーティングシステムに従って制御動作を行う。
【００３１】
通信部１６は、携帯情報端末４０の通信部４４と無線通信を行う。無線通信の形態としては、例えば、Ｗｉ−Ｆｉ（登録商標）通信やBluetooth（登録商標）通信を挙げることができる。なお、ＩＰ−ＳＴＢ１０の通信部１６と携帯情報端末４０の通信部４４との通信を有線通信にすることも不可能では無い。しかしながら、有線接続の煩わしさや有線接続では携帯情報端末４０の撮影部４１による撮影時に操作性が悪化することを考慮すると、ＩＰ−ＳＴＢ１０の通信部１６と携帯情報端末４０の通信部４４との通信は無線通信であることが望ましい。
【００３２】
次に、ＩＰ−ＳＴＢ１０と通信する携帯情報端末４０の概略構成について説明する。スマートフォンやタブレット端末等の携帯情報端末４０は、撮影部４１と、制御部４２と、タッチパネル４３と、通信部４４とを備えている。
【００３３】
撮影部４１は、被写体を撮影し、撮影画像データを制御部４２に送出する。
【００３４】
制御部４２は、携帯情報端末４０全体を制御する制御部であり、Ａｎｄｒｏｉｄ（登録商標）と呼ばれるオペレーティングシステムを内部メモリに格納しており、当該オペレーティングシステムに従って制御動作を行う。制御部４２は、撮影部４１から送られてきた撮影画像データを必要に応じてタッチパネル４３や通信部４４に送出する。また、制御部４２は、本発明に係る設定方法を実現するための専用アプリケーションソフトウェア（以下、「専用アプリ」と略す）を内部メモリに格納している。
【００３５】
タッチパネル４３は、ユーザ操作を受け付ける入力部であるとともに、撮影画像等の各種情報を表示する表示部である。また、通信部４４は、ＩＰ−ＳＴＢ１０の通信部１６と無線通信を行う。
【００３６】
次に、ＩＰ−ＳＴＢ１０と、表示機器２０と、ＨＤＭＩケーブル３０と、携帯情報端末４０とを用いて実施される設定方法について説明する。
【００３７】
まず、ユーザは不図示のＩＰ−ＳＴＢ用リモコン送信機を操作して、ＩＰ−ＳＴＢ１０が映像範囲調整用の映像信号を出力するようにする。さらに、ユーザは携帯情報端末４０のタッチパネル４３を操作して、専用アプリを起動する。
【００３８】
なお、上述した手順と異なり、携帯情報端末４０が、専用アプリが起動すると、専用アプリを起動したことを通知する通知信号を通信部４４から送信するようにしてもよい。この場合、ＩＰ−ＳＴＢ１０が、通信部４４により当該通知信号を受信すると、映像信号出力部１２により映像範囲調整用の映像信号の生成を開始するようにする。これにより、専用アプリを起動すると、自動的にＩＰ−ＳＴＢ１０が映像範囲調整用の映像信号を出力するので、利便性が向上する。
【００３９】
次に、ユーザは携帯情報端末４０の撮影部４１を用いて表示機器２０の表示画面を撮影する。携帯情報端末４０は、専用アプリに従って、撮影画像データ（映像範囲情報の一例）をＩＰ−ＳＴＢ１０に送信する。
【００４０】
次に、ＩＰ−ＳＴＢ１０の制御部１５は、携帯情報端末４０から送られてきた撮影画像を解析して、映像範囲の終端が表示機器２０の表示画面の周縁に一致しているか否かを判定し、一致していない場合は映像範囲を変更した映像範囲調整用の映像信号を映像信号出力部１２に出力させる。上記の撮影、解析、及び映像範囲の変更を映像範囲の終端が表示機器２０の表示画面の周縁に一致するまで繰り返す。
【００４１】
ＩＰ−ＳＴＢ１０が最初に出力する映像範囲調整用の映像信号が、映像範囲が最大に設定されている映像範囲調整用の映像信号であって、図２に示す映像を意図する映像信号である場合、表示機器２０の表示画面が図３に示す状態であれば、映像範囲の終端が表示機器２０の表示画面の周縁に一致していないため、ＩＰ−ＳＴＢ１０が出力する映像範囲調整用の映像信号が、図４に示す映像を意図する映像信号すなわち映像範囲を縦方向に一段階縮小した映像信号に変更される。なお、図４において斜線部は映像範囲外の部分を意味している。
【００４２】
そして、表示機器２０の表示画面が図５に示す状態になれば、縦方向の調整処理を完了する。なお、映像範囲の縦方向の終端が表示機器２０の表示画面に現れることなく、映像範囲の最小設定に達してしまった場合、制御部１５は、映像の最小範囲を表示画面に収めることができない表示機器２０を使用していると判断し、縦方向の調整処理を完了する。
【００４３】
その後、横方向についても同様の調整処理を実施する。なお、時間短縮のために、縦方向の調整処理と横方向の調整処理を同時に行ってもよい。調整処理が全て完了した場合、調整処理が全て完了したことを報知するための映像信号をＩＰ−ＳＴＢ１０が表示機器２０に送出するようにすると、利便性が向上する。また、これに代えて又はこれに加えて、調整処理が全て完了したことを報知するための通知信号をＩＰ−ＳＴＢ１０が携帯情報端末４０に送出するようにし、携帯情報端末４０がこの通知信号に応じて、調整処理が全て完了したことをタッチパネル４３を用いて報知するようにしてもよい。
【００４４】
また、本実施形態では、ＩＰ−ＳＴＢ１０が最初に出力する映像範囲調整用の映像信号を、映像範囲が最大に設定されている映像範囲調整用の映像信号としたが、これとは逆に、映像範囲が最小に設定されている映像範囲調整用の映像信号とし、映像範囲の終端が表示機器２０の表示画面の周縁に一致していない場合に、映像範囲を一段階拡大した映像信号に変更するようにしてもよい。
【００４５】
また、携帯情報端末４０がＩＰ−ＳＴＢ１０に撮影画像データを送るタイミングは特に限定されない。例えば一定周期で撮影画像データが送信されてもよい。また、ＩＰ−ＳＴＢ１０の映像信号出力部１２が映像範囲調整用の映像信号を変更した直後に、ＩＰ−ＳＴＢ１０の通信部１６が撮影画像データの送信を要求する要求信号を送るようにしてもよい。この場合、携帯情報端末４０は、当該要求信号に応じてＩＰ−ＳＴＢ１０に撮影画像データを送るようにする。
【００４６】
また、本実施形態では、ＩＰ−ＳＴＢ１０側で撮影画像の解析を行ったが、携帯情報端末４０側で撮影画像の解析を行い、必要に応じて映像範囲調整用の映像信号の映像範囲を変更する指示信号（映像範囲情報の一例）を携帯情報端末４０の通信部４４がＩＰ−ＳＴＢ１０の通信部１６に送信するようにしてもよい。
【００４７】
以上説明した本実施形態に係る映像信号出力機器は、通信部１６と、信号出力部１２と、制御部１５と、を備える。通信部１６は、撮影部４１を有する携帯情報端末４０と通信する。信号出力部１２は、映像範囲調整用の映像信号を生成して出力する。制御部１５は、表示機器２０が表示している映像範囲調整用の映像信号に基づく映像を撮影部４１が撮影したときに携帯情報端末４０から送信され通信部１６によって受信される映像範囲情報に基づいて、映像信号の映像範囲を設定する。
【００４８】
このような構成によると、映像信号出力機器が表示機器２０に映像範囲調整用の映像信号を出力することができる。そして、表示機器２０が表示している映像範囲調整用の映像信号に基づく映像を携帯情報端末４０の撮影部４１が撮影し、携帯情報端末４０が映像範囲情報を映像信号出力機器に出力すると、映像信号出力機器の制御部１５が、映像範囲情報に基づいて映像信号の映像範囲を設定する。これにより、映像信号の映像範囲の調整をユーザが手動で行う必要がなくなり、かつ、映像範囲調整用の映像信号に基づく映像すなわち映像範囲調整に適した映像に基づいて映像信号の映像範囲の調整が行われるので、映像信号の映像範囲を簡単かつ適切に設定することができる。
【００４９】
さらに、本実施形態に係る映像信号出力機器は、専用アプリを起動したことを通知する通知信号が携帯情報端末４０から送信され通信部１６によって受信されると、映像信号出力部１２が映像範囲調整用の映像信号の生成を開始する構成である。
【００５０】
このような構成によると、携帯情報端末４０において、映像範囲情報を送信するためのアプリケーションソフトウェアを起動すると、自動的に映像信号出力機器が映像範囲調整用の映像信号を出力するので、利便性が向上する。
【００５１】
＜第２実施形態＞
本発明の第２実施形態に係る映像信号出力機器の概略構成は、本発明の第１実施形態に係る映像信号出力機器の概略構成と同様である。
【００５２】
本発明の第１実施形態に係る映像信号出力機器は段階的に映像範囲を調整したのに対し、本実施形態に係る映像信号出力機器は、１回分の映像範囲情報に基づいて、映像信号の映像範囲の設定を完了する。これにより、映像信号の映像範囲の設定に要する時間を短縮することができ、利便性が向上する。
【００５３】
例えば、ＩＰ−ＳＴＢ１０が出力する映像範囲調整用の映像信号を図６に示す映像を意図する映像信号にした場合、表示機器２０の表示画面が図７に示す状態であれば、映像範囲を縦方向に一段階縮小し、横方向に二段階縮小して調整を完了するようにすればよい。
【００５４】
なお、ＩＰ−ＳＴＢ１０が出力する映像範囲調整用の映像信号を図２に示す映像を意図する映像信号にした場合でも本実施形態を実施することができる。この場合、映像範囲に位置している三角形がどの程度欠けて表示されているか、または、当該三角形が表示画面の周縁からどの程度離れて表示されているかを解析することによって、映像範囲をどの程度縮小または拡大すべきかを判断することができる。
【００５５】
＜第３実施形態＞
本発明の第３実施形態に係る映像信号出力機器の概略構成は、本発明の第１実施形態に係る映像信号出力機器の概略構成と同様である。
【００５６】
本実施形態に係る映像信号出力機器では、制御部１５は、携帯情報端末４０の通信部４４から送信され通信部１６によって受信される携帯情報端末４０の設定情報を、本実施形態に係る映像信号出力機器の設定情報に反映させる機能を有している。
【００５７】
また、本実施形態では、携帯情報端末４０の制御部４２は、設定情報を転送するための専用アプリケーションソフトウェアを内部メモリに格納している。この設定情報を転送するための専用アプリケーションソフトウェアが起動すると、携帯情報端末４０の通信部４４が自動的に携帯情報端末４０の設定情報を送信するようにすればよい。
【００５８】
これにより、携帯情報端末４０の設定情報と重複する映像信号出力機器の設定情報をユーザが重複してカスタマイズする必要がなくなるので、利便性が向上する。本実施形態に係る映像信号出力機器と携帯情報端末４０とで同一のオペレーションシステムを用いているため、上述した反映を容易に実現することができる。
【００５９】
なお、携帯情報端末４０から本実施形態に係る映像信号出力機器に転送する設定情報としては、例えば、言語設定、時刻設定、地域設定等を挙げることができる。
設定情報を転送するための専用アプリケーションソフトウェアの設定画面により、ユーザが携帯情報端末４０から本実施形態に係る映像信号出力機器に転送する設定情報を任意に選択できるようにしてもよい。
【００６０】
＜第４実施形態＞
本発明の第４実施形態に係る映像信号出力機器の概略構成を図８に示す。本実施形態に係る映像信号出力機器であるＩＰ−ＳＴＢ１０’は、第１実施形態に係る映像信号出力機器であるＩＰ−ＳＴＢ１０からＨＤＭＩインターフェース部１３を取り除き、ＨＤＭＩインターフェース部１３の代わりにＬＡＮインターフェース部１３’を設けた構成である。
【００６１】
ＩＰ−ＳＴＢ１０’は、ＬＡＮ３０’によって複数の表示機器２０に接続される。表示機器２０それぞれで仕様が異なる場合があるため、本実施形態では、制御部１５が、映像信号の映像範囲を表示機器２０毎に設定するようにしている。
【００６２】
設定方法としては、ＩＰ−ＳＴＢ１０’が複数の表示機器２０の中から一つの表示機器２０を選択し、選択した表示機器２０に映像範囲調整用の映像信号を出力する。この状態で、調整処理が全て完了すると、ＩＰ−ＳＴＢ１０’は、選択した表示機器２０と、調整処理によって設定された映像範囲の設定とを対応させて内蔵メモリに記憶する。その後、選択対象の表示機器２０を変更して、同様の処理を繰り返し、全ての表示機器２０に関して調整処理を実施するようにすればよい。
【符号の説明】
【００６３】
１０、１０’  ＩＰ−ＳＴＢ
１１  コンテンツ受信部
１２  映像信号出力部
１３  ＨＤＭＩインターフェース部
１３’  ＬＡＮインターフェース部
１４  リモコン信号受信部
１５  制御部
１６  通信部
２０  表示機器
３０  ＨＤＭＩケーブル
３０’  ＬＡＮ
４０  携帯情報端末
４１  撮影部
４２  制御部
４３  タッチパネル
４４  通信部
【図１】
2015023500.tif 000003
【図８】
2015023500.tif 000004
【図９】
2015023500.tif 000005
【図２】
2015023500.tif 000006
【図３】
2015023500.tif 000007
【図４】
2015023500.tif 000008
【図５】
2015023500.tif 000009
【図６】
2015023500.tif 000010
【図７】
2015023500.tif 000011